(57)【要約】【課題】従来のコイン洗浄装置は、その開閉部の液漏洩を防止するために技術的価格的に高度なシール構造と工程を必要としていた。また液状洗浄殺菌剤によるコインの過剰濡れが処理済みコインのハンドリングを大きく損ねていた。【解決手段】上記課題に対する解決手段は、殺菌作用を有する液状物質を含浸する粒状の洗浄媒体を作製し用いることと、洗浄殺菌工程において、粒状の洗浄媒体とコインを接触させる装置の構造及び両者を分離する装置の構造及び操作法である。【選択図】図１
2007087235.tif 000002
【特許請求の範囲】
【請求項１】
コイン洗浄殺菌媒体が粒状の媒体であることを特徴とするコイン洗浄殺菌装置。
【請求項２】
コインを収容するケーシングと、該ケーシング内に設けられたコインを水平に移動させるコイン移動フロアと、コインを洗浄殺菌する洗浄殺菌媒体を溜める洗剤溜めと、該洗浄殺菌媒体が該ケーシングと該洗剤溜め間を移動する為の洗剤孔と、コインを該ケーシングに投入するためのコイン投入口と、コインを該ケーシングから取り出すための開閉蓋とからなることを特徴とする請求項１記載のコイン洗浄殺菌装置。
【請求項３】
前記コイン移動フロアは、該ケーシング内の底面に平行して配置され、底面を覆う平滑な板であることを特徴とする請求項２記載のコイン洗浄殺菌装置。
【請求項４】
前記洗剤溜めは、該ケーシングの底面と前記コイン移動フロアの間に配置されることを特徴とする請求項２記載のコイン洗浄殺菌装置。
【請求項５】
前記洗剤孔は前記コイン移動フロアに開けられ配置されることを特徴とする請求項２に記載のコイン洗浄殺菌装置。
【請求項６】
前記洗剤溜めが、該ケーシングの底面に配置され、該コイン移動フロアに開けられた洗剤孔を通じて該ケーシング内に粒状洗浄殺菌媒体を移動させて、これとコインとを接触させるコイン洗浄殺菌方法であって、該コインを洗浄殺菌した後、該洗剤孔を通じて該ケーシング中のコインから該粒状洗殺菌浄媒体を前記洗剤溜めに回収し、分離することを特徴とするコイン洗浄殺菌方法。
【請求項７】
上記請求項１〜５に記載のコイン洗浄殺菌装置、又は上記請求項６記載のコイン洗浄殺菌方法において、コインの洗浄殺菌に用いる粒状媒体に、殺菌作用を有する物質を該粒状媒体の粒状性を保持する限度内で含浸させることを特徴とする粒状のコイン洗浄殺菌媒体。
【請求項８】
前記殺菌作用を有する物質が抗菌性金属イオンを吸着乃至イオン交換させた抗菌性無機物質、或いは昇華性を有する抗菌性有機物質であることを特徴とする請求項７に記載の粒状のコイン洗浄殺菌媒体。
【請求項９】
無機質多孔体及び／又は有機質多孔体を核として用いたことを特徴とする請求項７に記載の粒状のコイン洗浄殺菌媒体。
【請求項１０】
前記無機質多孔体及び又は有機質多孔体が、高比評面積珪酸、高比評面積珪塩類、連続気泡型スポンジ、セルロース及びセルロース組成物であることを特徴とする請求項９に記載の粒状のコイン洗浄殺菌媒体。
【請求項１１】
上記請求項１〜５に記載のコイン洗浄殺菌装置、上記請求項６記載のコイン洗浄殺菌方法、又は上記請求項７〜１０に記載の粒状洗浄殺菌媒体を用いることを特徴とする携帯型貨幣分別洗浄装置。
【請求項１２】
上記請求項１〜５に記載のコイン洗浄殺菌装置、上記請求項６記載のコイン洗浄殺菌方法、又は上記請求項７〜１０に記載の粒状洗浄殺菌媒体を用いることを特徴とする固定型貨幣分別洗浄装置。
【発明の詳細な説明】
【技術分野】
【０００１】
この発明は、コインの洗浄殺菌装置、洗浄殺菌方法、及びそれに用いる洗浄殺菌媒体に関するものである。このような洗浄殺菌装置、洗浄殺菌方法、及び洗浄殺菌媒体は、一般のコイン収納ケース又はコイン収納装置に充分応用できるものである。
【背景技術】
【０００２】
従来のコインの洗浄装置、洗浄方法では、洗浄剤は主に液状であり、厳密な液シール構造及びシール操作を装置及び工程に付与する必要があり、その分、装置製作技術費用及び洗浄操作に負担が生じていた。また、洗浄液との分離直後のコインは濡れており、濡れたコインの使用には違和感が生じた。この濡れを除去するには更にコインの乾燥工程、乾燥時間を要していた。また、コイン洗浄殺菌は主に薬液の洗浄と殺菌の化学作用に拠っていて、これに物理的擦り作用、吸着作用が合わさることはなく、この分、高い洗浄効率を発揮するに到らず、コイン洗浄殺菌に比較的に大容量の薬剤と長時間を要するという問題があった。
【特許文献１】特開２０００−２５９８８６号公報
【特許文献２】特開２００１−２１６５５２号公報
【特許文献３】特開平１１−１９８０２３号公報
【特許文献４】特開平１１−３１３９７１号公報
【発明の開示】
【発明が解決しようとする課題】
【０００３】
本発明が解決しようとする課題１は、コイン洗浄殺菌装置の洗浄殺菌媒体を液状から粒状にすることにより、装置の開閉部からの洗浄媒体の漏洩防止を開閉部の簡便なシール構造により或いは、シール構造を不要として、実現することである。
本発明が解決しようとする課題２は、粒状の洗浄殺菌媒体の機能を向上させることより、洗浄殺菌剤によるコインの過剰濡れを防止し、コインの洗浄殺菌効率を向上させ、コインに粒体による擦れや吸着の物理的洗浄力を付加し、更に、コイン指触時の過剰濡れの違和感を解消することである。
【課題を解決するための手段】
【０００４】
上記課題に対する解決手段は、殺菌作用を有する液状物質を含む粒状の洗浄媒体を作製し用いること、及び洗浄工程において、粒状の洗浄媒体とコインを接触させる装置の構造及び操作と、かつ、両者を分離する装置の構造及び操作が基本となるものである。
［解決手段１］（請求項１に対応）
上記課題１を解決するために講じた解決手段１は、コイン洗浄殺菌装置のコイン洗浄殺菌媒体が粒状の媒体を備えて成ることである。
［作用］
粒状のコイン洗浄殺菌媒体は、液状のコイン洗浄殺菌媒体
と異なり、装置の開閉部から漏洩することがなく、液状の媒体の場合に該開閉部に施工されるシール構造を簡素化、或いは不要とすることができる。
［実施態様１］（請求項２に対応）
実施態様１は、前記解決手段１のコイン洗浄殺菌装置において、コインを収容するケーシングと、該ケーシング内に設けられたコインを水平に移動させるコイン移動フロアと、コインを洗浄殺菌する洗浄殺菌媒体を溜める洗剤溜めと、該洗浄殺菌媒体が該ケーシングと該洗剤溜め間を移動する為の洗剤孔と、コインを該ケーシングに投入するためのコイン投入口と、コインを該ケーシングから取り出すための開閉蓋とを備えて成ることである。
［作用］
コイン投入口からコインを投入し、コイン移動フロア上でコインを移動させると同時に、洗剤溜めから粒状洗浄殺菌媒体（以後、粒状洗浄殺菌媒体を粒状媒体と略記する）を洗剤孔を通してコイン移動フロアに流出させ、コインと該粒状媒体との接触を図って後、該粒状媒体を該洗剤孔を通過させて該洗剤溜めに回収し、コインと分離後に、シール構造の無い開閉蓋を開けてコインを採取することができる。
【０００５】
［実施態様２］（請求項３に対応）
実施態様２は前記解決手段１及び実施態様１のコイン洗浄殺菌装置において、コイン移動フロアは、該ケーシング内の底面に平行して配置され、底面を覆う平滑な板であることを備えて成ることである。
［作用］
コイン移動フロアは、該ケーシング内の底面に平行して配置され、底面を覆う平滑な板であることにより、コインの移動、粒状媒体との接触、及び収納の各操作を容易簡便に達成させることができる。
【０００６】
［実施態様３］（請求項４に対応）
実施態様３は、前記解決手段1、実施態様１及び実施態様２のコイン洗浄殺菌装置において、前記洗剤溜めは、該ケーシングの底面と前記コイン移動フロアの間に設置される構造を備えて成ることである。
［作用］
前記洗剤溜めは、該ケーシングの底面と前記コイン移動フロアの間に設置される構造により、粒状媒体の移動、分離、及び回収の各操作を容易簡便に達成させることができる。
【０００７】
［実施態様４］（請求項５に対応）
実施態様４は、前記解決手段1、実施態様１、実施態様２及び実施対応３のコイン洗浄殺菌装置において、前記洗剤孔は前記コイン移動フロアに開けられ配置される構造を備えて成ることである。
［作用］
前記洗剤孔は前記コイン移動フロアに開けられ配置される構造により、粒状媒体の移動、コインとの接触、分離、及び回収の各操作を容易簡便に達成させることができる。
【０００８】
［解決手段２］（請求項６に対応）
上記課題１を解決するために講じた解決手段２は、前記洗剤溜めが、前記ケーシングの底面と前記コイン移動フロアの間に設置され、該コイン移動フロアに開けられ配置された洗剤孔を通じて該ケーシング内に粒状媒体を移動させて、これとコインとを接触させるコイン洗浄殺菌方法であって、コインを洗浄殺菌した後、該洗剤孔を通じて該ケーシング中のコインから該粒状媒体を前記洗剤溜めに分離回収するコインの洗浄殺菌操作法である。
［作用］
前記洗剤溜めは前記ケーシングの底面と前記コイン移動フロアの間に設置され、前記コイン移動フロアに開けられ配置された洗剤孔を通じて前記ケーシング内に粒状媒体を移動させ、これとコインとを接触させて洗浄殺菌剤を漏洩させることなく洗浄殺菌でき、その後、該洗剤孔を通じて該ケーシングから該粒状媒体を該洗剤溜めに戻して洗浄殺菌剤を漏洩させることなくコインから分離回収することができる。
【０００９】
［解決手段３］（請求項７に対応）
上記課題２を解決するために講じた解決手段３は、上記請求項１〜５に記載のコイン洗浄殺菌装置、又は上記請求項６に記載のコイン洗浄殺菌方法において、コインの洗浄殺菌に用いる粒状媒体に、殺菌作用を有する物質を該粒状媒体の粒状性を保持する限度内で含浸させることである。
［作用］
コインの洗浄殺菌に用いる粒状媒体に、殺菌作用を有する物質を該粒状媒体の粒状性を保持する限度内で含浸させることで、コインとの接触時に該粒状媒体との擦れ及び吸着の作用による必要最少量の殺菌剤の塗布でコイン表面を殺菌でき、コイン表面に該粒状媒体の擦れ及び吸着による物理的洗浄力を作用でき、コインの過剰濡れを除去する為の乾燥工程、乾燥時間を不要とし、コイン指触時の過剰濡れの違和感を解消できる。
【００１０】
［実施態様５］（請求項８に対応）
実施態様５は前記解決手段３のコイン粒状洗浄殺菌媒体において、前記殺菌作用を有する物質が抗菌性金属イオンを吸着乃至イオン交換させた抗菌性無機物質、或いは昇華性を有する抗菌性有機物質であることである。
［作用］
抗菌性金属イオンを吸着乃至イオン交換させた抗菌性無機物質の液状スラリー又は昇華性を有する抗菌性有機物質の溶融体乃至は液状スラリーを前記粒状媒体にその粒状性を保持する限度内で含浸させたものは、コインを洗浄殺菌することができる。
［解決手段４］（請求項９に対応）
上記課題２を解決する為に講じた解決手段４は、コイン粒状洗浄殺菌媒体において、前記粒状媒体が無機質多孔体及び／又は有機質多孔体を核として粒状洗浄殺菌媒体を形成することである。
［作用］
前記粒状媒体の粒状を形成する核材として、無機質多孔体及び又は有機質多孔体を用いると、洗浄殺菌剤を該粒状媒体の表面だけでなく、粒内部にも包蔵することができ、洗浄殺菌能力の持久性を向上させることができる。更に、コインとの接触時にコイン表面に前記無機、有機質多孔体による物理的擦りと吸着をより効果的に与え、コインをより有効に洗浄することができ、殺菌剤がコイン表面に過剰に塗布されることを防ぎ、コインの洗浄殺菌効率を向上させるとともに、過剰濡れのコイン表面の手触りの違和感を解消することができる。
【００１１】
［実施態様６］（請求項１０に対応）
実施態様６は前記解決手段４の粒状洗浄殺菌媒体において、前記無機質多孔体及び又は有機質多孔体が、高比評面積珪酸、高比評面積珪塩類、連続気泡型スポンジ、及びセルロースであることであることである。
［作用］
前記無機質多孔体及び又は有機質多孔体が、高比評面積珪酸、高比評面積珪塩類、連続気泡型スポンジ、及びセルロースであることで、コイン洗浄殺菌媒体の粒状核が形成され、前記殺菌作用を有する物質を含浸でき、コインを必要最少量で洗浄殺菌でき、その後、コインより分離することができ、以上の各操作機能を繰り返す耐久性を得ることができる。
【００１２】
［実施態様７］（請求項１１に対応）
実施態様７は解決手段１のコイン洗浄殺菌装置、解決手段２のコイン洗浄殺菌法、及び解決手段３〜４のコイン洗浄殺菌媒体を用い且つコイン分別機能の構造を備えてなる携帯型貨幣分別洗浄装置である。
［作用］
コイン分別構造体を付加した携帯型の前記コイン洗浄殺菌装置において、前記コイン洗浄殺菌法により、前記コイン粒状洗浄殺菌媒体を用いてコインを洗浄殺菌すると、コイン洗浄殺菌と同時にコイン分別を行うことが出来る。
［実施態様８］（請求項１２に対応）
実施態様８は解決手段１のコイン洗浄殺菌装置、解決手段２のコイン洗浄殺菌法、及び解決手段３〜４のコイン洗浄殺菌媒体を用い且つコイン分別収納室の構造を備えてなる固定型貨幣分別洗浄装置である。
［作用］
コイン分別収納室の構造を付加した固定型（卓上型）の前記コイン洗浄殺菌装置において、前記コイン洗浄殺菌法により、前記コイン粒状洗浄殺菌媒体を用いてコインを洗浄殺菌すると、該コイン分別収納室のコインを常に洗浄殺菌状態に保つことができる。
【発明の効果】
【００１３】
本発明の効果を主な請求項毎に整理すると、次のとおりである。
請求項１に係わる発明
粒状のコイン洗浄殺菌媒体は、液状のコイン洗浄殺菌媒体と異なり、装置の開閉部から漏洩することがなく、液状の媒体の場合に該開閉部に施工されるシール構造を簡素化、或いは不要とすることができる。
【００１４】
請求項２〜５に係わる発明
本発明の構造を備えて成るコイン洗浄殺菌装置において、コインの投入、コインの収納、粒状媒体の収納、コインと粒状媒体の接触、コインと粒状媒体の分離、粒状媒体の回収収納、開閉蓋の開放、及び洗浄殺菌済みコインの採取からなる、コイン洗浄殺菌採取の操作とその操作の反復とを有効、簡便、容易に実現することができる。
【００１５】
請求項６に係わる発明
前記コイン洗浄殺菌装置におけるコイン移動フロアは、該ケーシング内の底面に平行して配置され、底面を覆う平滑な板であり、前記洗剤溜めが前記ケーシングの底面と前記コイン移動フロアの間に設置され、該コイン移動フロアに開けられ配置された洗剤孔を通じて該ケーシング内に粒状媒体を移動させ、これとコインとを接触させ、コインを洗浄殺菌した後、該洗剤孔を通じて該ケーシング中のコインから該粒状媒体を前記洗剤溜めに分離回収する本発明のコインの洗浄殺菌操作法によると、コインを短時間に、簡便に、有効に洗浄殺菌できる。
【００１６】
（４）請求項７及び請求項８に係わる発明
コインの洗浄殺菌に用いる粒状媒体に、殺菌作用を有する物質を該粒状媒体の粒状性を保持する限度内で含浸させることで、コインとの接触時に該粒状媒体との擦れ及び吸着の作用による必要最少量の殺菌剤の塗布でコイン表面を殺菌でき、コイン表面に該粒状媒体の擦れ及び吸着による物理的洗浄力を作用でき、コインの過剰濡れを除去する為の乾燥工程、乾燥時間を不要とし、コイン指触時の過剰濡れの違和感を解消できる。
【００１７】
（５）請求項９及び請求項１０に係わる発明
前記粒状媒体の粒状を形成する核材として、無機質多孔体及び又は有機質多孔体を用いると、洗浄殺菌剤を該粒状媒体の表面だけでなく、粒内部にも包蔵することができ、洗浄殺菌能力の持久性を向上させることができる。更に、コインとの接触時にコイン表面に前記無機、有機質多孔体による物理的擦りと吸着をより効果的に与え、コインをより有効に洗浄することができ、殺菌剤がコイン表面に過剰に塗布されることを防ぎ、コインの洗浄殺菌効率を向上させるとともに、コイン表面の手触りの違和感を解消した抗菌コート状態のコインを得ることができる。
【００１８】
（６）請求項１１に係わる発明
コイン分別構造体を付加した携帯型の前記コイン洗浄殺菌装置において、前記コイン洗浄殺菌法により、前記コイン粒状洗浄殺菌媒体を用いてコインを洗浄殺菌すると、コイン洗浄殺菌と同時にコイン分別を行うことが出来る。
（７）請求項１２に係わる発明
コイン分別収納室の構造を付加した固定型（卓上型）の前記コイン洗浄殺菌装置において、前記コイン洗浄殺菌法により、前記コイン粒状洗浄殺菌媒体を用いてコインを洗浄殺菌すると、該コイン分別収納室のコインを常に洗浄殺菌状態に保つことができる。
【発明を実施するための最良の形態】
【００１９】
洗浄殺菌剤を用いて行うコインの洗浄殺菌を無機質及び又は有機質の多孔体を核とする粒状の洗浄殺菌媒体でおこなうことにより、洗浄殺菌装置のシール構造の簡略化と、洗浄殺菌剤の装置外漏洩の回避と、高いコイン洗浄殺菌効率と、コインに対する洗浄剤の過剰濡れの回避と、これによる、コイン表面の手触りの違和感を解消した抗菌コートコインを実現するものである。
【実施例１】
【００２０】
本発明の実施例１（請求項１〜５）について図１を参照しながら説明する。
先ず、本発明において、日本国内コイン（５００円１枚、１０円１枚、１００円１枚、５円１枚、５０円１枚、及び１円３枚の例示）をケーシング１に入れて洗浄殺菌する場合、開閉蓋１３を開け、粒状洗浄殺菌媒体７を洗剤溜め３の容量の約３０％の容量で、ケーシング１内に投入し、コイン移動フロア２の洗剤孔４を通して洗剤溜め３に収納する。次に例示したコイン群をコイン移動フロア２上に投入し開閉蓋１３を閉じて、ケーシング１を180度回転し、洗剤溜め３を上にして、水平方向に揺すり、洗剤溜め３に収納した同媒体７を洗剤孔４を通してケーシング１内に流入させ、例示のコイン群と接触状態にし、更に数秒間水平揺すりを加えてコイン群と同媒体７の接触、衝突、擦りを図り、再度ケーシング１を180度回転させ、水平揺すり下に同媒体７を洗剤孔４を通して、洗剤溜め３に回収してコイン群と分離させ、開閉蓋１３を開けて、コイン移動フロア２上の洗浄殺菌されたコイン群を計数採取する。
【実施例２】
【００２１】
本発明の実施例２（請求項７〜１０に対応）について説明する。
この実施例２は図１の洗浄殺菌媒体２の作製につき例示するものである。
無機質多孔体として、BET法比表面積３００［m2/g］、平均粒子径４μｍ、吸油量２８０［ｍｌ／１００ｇ］のゲルタイプシリカ（水澤化学（株）製ミズカシルＰ−７０７）１．０ｇと（無機質多孔体としてはこの他に、比評面積３００［ｍ2／ｇ］前後のゾノトライト、アエロジル、或いはセピオライト等を使用することが出来る）、無機質抗菌剤として、銀イオン含有アルミノ珪酸塩（（株）シナネンゼオミック製ゼオミックAW10N）０．５ｇと（無機質抗菌剤としてはこの他に、亜鉛華、亜鉛イオン含有アルミノ珪酸塩、硼酸亜鉛等を使用することが出来る）、イオン交換水５０ｇとを（株）石川式擂潰機(型式AGB)で10分間磨砕混合し、均一混合スラリーとして１０mlを採取する。
【００２２】
有機質多孔体として、見掛け密度０．０６［ｇ／ｃｍ3］、JISK6253硬度１５、粒径３ｍｍφの連続気泡のポリウレタンスポンジ粒２０ｍｌに、前記均一混合スラリー１０ｍｌを均等に含浸させることにより、ポリウレタンスポンジとゲルタイプシリカを核とする粒状コイン洗浄殺菌媒体１２ｇを得る。
（有機質多孔体としてはこの他に、連続気泡のポリスチレンスポンジ、クロロプレンゴムスポンジ、シリコンゴムスポンジ、フッソゴムスポンジ、ニトリルゴムスポンジ、エチレンプロピレンゴムスポンジ、セルロース、及びセルロース組成物等を使用することが出来る）
【実施例３】
【００２３】
本発明の実施例３（請求項７〜１０に対応）について説明する。
この実施例３は図１の洗浄殺菌媒体２の作製につき再度例示するものである。
無機質多孔体として、BET法比表面積４００［m2/g］、平均粒子径１０μｍ、吸油量２５０［ｍｌ／１００ｇ］のゲルタイプシリカ（水澤化学（株）製ミズカソーブ）１．０ｇと、有機質抗菌剤として、パラクロロメタキシレノール（和光純薬工業（株）試薬特級）１．０ｇと（有機質抗菌剤としてはこの他に、ヒノキチオール、ショウノウ等を使用することが出来る）、無水エタノール５０ｍｌとを（株）石川式擂潰機(型式AGB)で10分間磨砕混合し、均一混合スラリーとして１０mlを採取する。
【００２４】
有機質多孔体として、見掛け密度０．０６［ｇ／ｃｍ3］、JISK6253硬度１５、粒径３ｍｍφの連続気泡のポリウレタンスポンジ粒２０ｍｌに、前記均一混合スラリー１０ｍｌを均等に含浸させた後、加熱減圧下にエタノールのみを溜去することにより、ポリウレタンスポンジとゲルタイプシリカを核とする粒状コイン洗浄殺菌媒体１．６ｇを得る。
【実施例４】
【００２５】
本発明の実施例４（請求項１１に対応）について図２を参照しながら説明する。
請求項１１に記載のコイン分別構造体として、特許公報  JP 3595880号（  発明の名称  コイン分別洗浄ケース及びコイン分別ケース）の図２表1“コイン分別孔の形状寸法”に記載のNo.３コイン分別孔よりなるコインフィルタを本発明図２のごとく本発明図１の携帯型コイン洗浄殺菌装置に設置する。
No.3コインフィルタは、長軸Xが２２．２ｍｍ、対角線Ｙが２２．４ｍｍの矩形孔が図２の様に６個配列された格子体である。
この格子は1円、50円、5円の硬貨を通過させ、100円、10円、500円の硬貨を留めて日本国流通硬貨を二分割に分別するコイン分別構造体である。
【００２６】
実施例２で調整したコイン洗浄殺菌媒体（粒状媒体と略記する）２０ｍｌを洗剤溜め３に収納し、コイン投入口１６から500円1枚、100円1枚、10円1枚、5円1枚、50円1枚、1円4枚をケーシング１に投入後、装置をケーシング底面を上にして室中心軸２５を１８０度回転させ、軸方向に水平に手動振盪すると、洗剤溜め３の粒状媒体７は洗剤孔４を通りケーシング１に全て移動し、コイン群に接触し、コイン表面を擦り、吸着しながらコイン表面に抗菌コートを施す。
更に、装置をケーシング底面を下にして180度回転させ、水平方向に手動振盪すると、粒状媒体７は洗剤孔４を通過して洗剤溜め３に戻り、コインから分離回収される。
これと同時に、この水平運動の間に、コイン群はNo.3格子フィルタを通過し、又は留まり、（500円、100円、10円）群と（50円、5円、1円）群に分別される。開閉蓋１３を開け、抗菌コートされ分別されたコインが正確迅速に計数採取されると、採取した指先も同時に殺菌され、奇麗なコインが奇麗な指から第三者に移動する。
【実施例５】
【００２７】
（請求項１２に対応）
本発明の実施例５について図３.を参照しながら説明する。
請求項１２に記載のコイン分別収納室を装備したコイン洗浄殺菌装置において、図３に示されるごとく各コイン分別収納室が１個のコイン洗浄殺菌装置であり、500円、100円、50円、10円、5円、1円の６個の収納室からなる。
図３のＡゾーンの収納室の配列では、各室の開閉蓋は開除されており、各室に実施例２記載と同等の粒状媒体２２が配給され、コイン移動フロア１９の洗剤孔２０から洗剤溜め２１に収納される。
開放されている各コインケーシング１８にコインがそれぞれ分別収納される。
室配列ＡゾーンはスライドしてＢ配列に移り、各室に開閉蓋が装着され、閉封される。各室は中心軸２５の周りを180度回転し、開閉蓋を下にして、各室軸２５方向に15秒間水平往復運動し、コインと粒状媒体２２を混合接触させる。
各室を再度軸２５中心に180度回転させ、開閉蓋を上にし、軸２５方向に水平往復運動を15秒間行うと、コインはコイン移動フロア１９に残り、粒状媒体２２は洗剤孔２０を経て洗剤溜め２１に分離回収される。駆動系Ａを作動させると各室の開閉蓋が開除され、室列は開閉蓋無しの状態でＡゾーンに移り、蓋開放状態になる。
粒状媒体２２により抗菌コートされたコインが指先で計数採取されると、同時に抗菌された指先は、安全に食品或いは口元に接触することができる。本実施例５の卓上型コイン洗浄殺菌装置は、A及びＢゾーンの駆動電気回路を公知のレジスター電気回路と連動させるとコイン洗浄殺菌レジスターの機能を発揮する。
【図面の簡単な説明】
【００２８】
【図１】は、コイン洗浄殺菌装置の模式図である。
【図２】は、携帯型コイン分別洗浄殺菌装置の模式図である。
【図３】は、卓上型コイン分別洗浄殺菌装置（コイン洗浄殺菌レジスター）の模式図である。
【符号の説明】
【００２９】
1  ケーシング
2  コイン移動フロア
3  洗剤溜め
4  洗剤孔
5  100円硬貨
6  開閉蓋の止め金
7  粒状洗浄殺菌媒体（粒状媒体）
8  50円硬貨
9  1円硬貨
10  5円硬貨
11  開閉蓋の回転軸部
12  簡易シール材
13  開閉蓋（透明材質）
14  500円硬貨
15  10円硬貨
16  コイン投入口
17  コインフィルタNo.3
18  コインケーシング
19  コイン移動フロア
20  洗剤孔
21  洗剤溜め
22  粒状媒体
23  開閉蓋（透明材質）
24  簡易シール材
25  室中心軸
【図１】
2007087235.tif 000003
【図２】
2007087235.tif 000004
【図３】
2007087235.tif 000005